【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットのうち、書き出し位置検出手段が設けられている走査ユニットと、前記書き出し位置検出手段が設けられていない走査ユニットは、前記書き出し位置検出手段が設けられている走査ユニット（Ｓ１）が前記被走査面の中央を走査しているときの偏向面Ｒａの法線と、前記書き出し位置検出手段が設けられていない走査ユニット（Ｓ２）が前記被走査面の中央を走査しているときの偏向面Ｒｂの法線とのなす角度のうち、前記偏向面Ｒａの法線から前記偏向面Ｒｂへの法線へと前記多面体偏向器の回転方向に沿って測ったときの角度θが１８０度以下と成るように配置していることを特徴とする光走査装置。
【請求項２】  光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットの被走査面への書き出しタイミングは、各々前記多面体偏向器の偏向面からの光束を１つの書き出し位置検知手段で検出し、前記１つの書き出し位置検知手段からの信号を用いて決定されており、
前記書き出し位置検知手段が設けられていない走査ユニットによる被走査面への書き出しタイミングは、前記多面体偏向器の実測した走査周期を用いて決定していることを特徴とする光走査装置。
【請求項３】  光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットの被走査面への書き出しタイミングは、各々前記多面体偏向器の偏向面からの光束を１つの書き出し位置検知手段で検出し、前記１つの書き出し位置検知手段からの信号を用いて決定されており、
前記書き出し位置検出手段の配置されている位置を基準としたとき、前記多面体偏向器の回転方向の最も上流側の走査ユニットで、前記書き出しタイミングを得ており、前記２以上の走査ユニットのうち、前記書き出し位置検出手段が設けられている走査ユニットと、前記書き出し位置検出手段が設けられていない走査ユニットは、前記書き出し位置検出手段が設けられている走査ユニット（Ｓ１）が前記被走査面の中央を走査しているときの偏向面Ｒａの法線と、前記書き出し位置検出手段が設けられていない走査ユニット（Ｓ２）が前記被走査面の中央を走査しているときの偏向面Ｒｂの法線とのなす角度のうち、前記偏向面Ｒａの法線から前記偏向面Ｒｂへの法線へと回転方向に沿って測ったときの角度θが１８０度以下と成るように配置しており、
前記書き出し位置検出手段が設けられていない走査ユニットの前記被走査面への書き出しタイミングは、同一の偏向面が１回転するときの実測した走査時間を用いて決定していることを特徴とする光走査装置。
【請求項４】
前記走査周期は、多面体偏向器の１回転の周期を測定した結果から割り出すことを特徴とする請求項２に記載の光走査装置。
【請求項５】  前記走査周期は、位置検知手段により周期を測定した結果から割り出すことを特徴とする請求項２に記載の光走査装置。
【請求項６】  前記複数の走査ユニットは光束が前記多面体偏向器に対して互いに対向しない面に入射する２つ以上の走査ユニットを含んでいることを特徴とする請求項１乃至５の何れか一項に記載の光走査装置。
【請求項７】  前記複数の走査ユニットの光源手段のうち、少なくとも２つは、同一基板上に配置されていることを特徴とする請求項１乃至６の何れか一項に記載の光走査装置。
【請求項８】  前記被走査面の書き出しタイミング用の光束を検出する為の書き出し位置検知手段を有し、前記多面体偏向器を介して前記書き出し位置検知手段へ向かう光束は、前記走査光学系を通過しないことを特徴とする請求項１乃至７の何れか一項に記載の光走査装置。 
【請求項９】  各々が請求項１乃至８の何れか一項に記載の光走査装置の被走査面に配置され、互いに異なった色の画像を形成する複数の像担持体とを有することを特徴とするカラー画像形成装置。
【請求項１０】  外部機器から入力した色信号を異なった色の画像データに変換して各々の光走査装置に入力せしめるプリンタコントローラを有していることを特徴とする請求項９に記載のカラー画像形成装置。
【手続補正２】
【補正対象書類名】明細書
【補正対象項目名】００１３
【補正方法】変更
【補正の内容】
【００１３】
【課題を解決するための手段】
請求項１の発明の光走査装置は、光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットのうち、書き出し位置検出手段が設けられている走査ユニットと、前記書き出し位置検出手段が設けられていない走査ユニットは、前記書き出し位置検出手段が設けられている走査ユニット（Ｓ１）が前記被走査面の中央を走査しているときの偏向面Ｒａの法線と、前記書き出し位置検出手段が設けられていない走査ユニット（Ｓ２）が前記被走査面の中央を走査しているときの偏向面Ｒｂの法線とのなす角度のうち、前記偏向面Ｒａの法線から前記偏向面Ｒｂへの法線へと前記多面体偏向器の回転方向に沿って測ったときの角度θが１８０度以下と成るように配置していることを特徴としている。
請求項２の発明の光走査装置は、光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットの被走査面への書き出しタイミングは、各々前記多面体偏向器の偏向面からの光束を１つの書き出し位置検知手段で検出し、前記１つの書き出し位置検知手段からの信号を用いて決定されており、
前記書き出し位置検知手段が設けられていない走査ユニットによる被走査面への書き出しタイミングは、前記多面体偏向器の実測した走査周期を用いて決定していることを特徴としている。
請求項３の発明の光走査装置は、光源手段から出射した光束の状態を他の状態に変えて出射する第１の光学系と、前記第１の光学系からの光束を多面体偏向器に導光する第２の光学系と、前記多面体偏向器の偏向面で偏向された光束を被走査面上に結像させる走査光学系とを有する走査ユニットを複数有する光走査装置において、
前記複数の走査ユニットのうち、２以上の走査ユニットは、同一の多面体偏向器を併用しており、かつ、前記２以上の走査ユニットは、前記多面体偏向器の異なった偏向面で偏向した光束を用いており、
前記２以上の走査ユニットの被走査面への書き出しタイミングは、各々前記多面体偏向器の偏向面からの光束を１つの書き出し位置検知手段で検出し、前記１つの書き出し位置検知手段からの信号を用いて決定されており、
前記書き出し位置検出手段の配置されている位置を基準としたとき、前記多面体偏向器の回転方向の最も上流側の走査ユニットで、前記書き出しタイミングを得ており、前記２以上の走査ユニットのうち、前記書き出し位置検出手段が設けられている走査ユニットと、前記書き出し位置検出手段が設けられていない走査ユニットは、前記書き出し位置検出手段が設けられている走査ユニット（Ｓ１）が前記被走査面の中央を走査しているときの偏向面Ｒａの法線と、前記書き出し位置検出手段が設けられていない走査ユニット（Ｓ２）が前記被走査面の中央を走査しているときの偏向面Ｒｂの法線とのなす角度のうち、前記偏向面Ｒａの法線から前記偏向面Ｒｂへの法線へと回転方向に沿って測ったときの角度θが１８０度以下と成るように配置しており、
前記書き出し位置検出手段が設けられていない走査ユニットの前記被走査面への書き出しタイミングは、同一の偏向面が１回転するときの実測した走査時間を用いて決定していることを特徴としている。
請求項４の発明は、請求項２の発明において、前記走査周期は、多面体偏向器の１回転の周期を測定した結果から割り出すことを特徴としている。
請求項５の発明は請求項２の発明において、前記走査周期は、位置検知手段により周期を測定した結果から割り出すことを特徴としている。
請求項６の発明は請求項１乃至５の何れか一項の発明において、前記複数の走査ユニットは光束が前記多面体偏向器に対して互いに対向しない面に入射する２つ以上の走査ユニットを含んでいることを特徴としている。
請求項７の発明は請求項１乃至６の何れか一項の発明において、前記複数の走査ユニットの光源手段のうち、少なくとも２つは、同一基板上に配置されていることを特徴としている。
請求項８の発明は請求項１乃至７の何れか一項の発明において、前記被走査面の書き出しタイミング用の光束を検出する為の書き出し位置検知手段を有し、前記多面体偏向器を介して前記書き出し位置検知手段へ向かう光束は、前記走査光学系を通過しないことを特徴としている。 
請求項９の発明のカラー画増形成装置は、各々が請求項１乃至８の何れか一項に記載の光走査装置の被走査面に配置され、互いに異なった色の画像を形成する複数の像担持体とを有することを特徴としている。
請求項１０の発明は請求項９の発明において、外部機器から入力した色信号を異なった色の画像データに変換して各々の光走査装置に入力せしめるプリンタコントローラを有していることを特徴としている。
【手続補正３】
【補正対象書類名】明細書
【補正対象項目名】００１５
【補正方法】変更
【補正の内容】
【００１５】
ここで、主走査方向とは多面体偏向器の回転軸及び走査光学系の光軸に垂直な方向（多面体偏向器で光束が反射偏向（偏向走査）される方向）を示し、副走査方向とは多面体偏向器の回転軸と平行な方向を示す。また主走査断面とは主走査方向に平行で走査光学系の光軸を含む平面を示す。また副走査断面とは主走査断面と垂直な断面を示す。
【手続補正４】
【補正対象書類名】明細書
【補正対象項目名】００１６
【補正方法】変更
【補正の内容】
【００１６】
図中、Ｓ１，Ｓ２は各々第１、第２の走査ユニット（以下、「ステーション」とも称す。）である。光走査装置は走査ユニットを複数有する。第１、第２の走査ユニットＳ１，Ｓ２は、各々光源手段（１ａ，１ｂ）から出射した光束の状態を変える第１の光学系（２ａ，２ｂ）と、主走査方向に長い線像として結像させる第２の光学系（３ａ，３ｂ）と、光束を規制する開口絞り（４ａ，４ｂ）と、偏向手段としての多面体偏向器５と、該多面体偏向器で反射偏向された光束を被走査面上にスポットに形成する走査光学系（６ａ，６ｂ）とを有している。
【手続補正５】
【補正対象書類名】明細書
【補正対象項目名】００１９
【補正方法】変更
【補正の内容】
【００１９】
また本実施形態では第１、第２の走査ユニットＳ１，Ｓ２のうち、後述する書き出し位置検出手段６４が設けられている第１の走査ユニットＳ１と、該書き出し位置検出手段６４が設けられていない第２の走査ユニットＳ２は、該該書き出し位置検出手段６４が設けられている第１の走査ユニットＳ１が被走査面７ａの中央を走査しているときの偏向面５ａ（偏向面Ｒａ）の法線Ｌａと、該書き出し位置検出手段６４が設けられていない第２の走査ユニットＳ２が該被走査面７ｂの中央を走査しているときの偏向面５ｂ（偏向面Ｒｂ）の法線Ｌｂとのなす角度のうち、該偏向面５ａの法線Ｌａから偏向面５ｂへの法線Ｌｂへと多面体偏向器５の回転方向Ａに沿って測ったときの角度θが１８０度以下と成るように配置している（図１Ｂ参照）。
【手続補正６】
【補正対象書類名】明細書
【補正対象項目名】００２７
【補正方法】変更
【補正の内容】
【００２７】
走査光学系は単一の走査レンズ６ａ，６ｂより成り、多面体偏向器５により反射偏向された光束を被走査面７ａ，７ｂ上にスポット状に結像させている。走査レンズ６ａ，６ｂは副走査断面内において光偏向器５の偏向面５ａ，５ｂ近傍と被走査面７ａ，７ｂ近傍との間を共役関係にすることにより、倒れ補正機能を有している。
【手続補正７】
【補正対象書類名】明細書
【補正対象項目名】００５７
【補正方法】変更
【補正の内容】
【００５７】
即ち、本実施形態ではＢＤ光学系６４が設けられていない第２のステーションＳ２による感光ドラム面７ｂへの書き出しタイミングを、多面体偏向器５の実測した走査周期（走査時間）を用いて決定している。尚、上記走査周期は、多面体偏向器５の１回転の周期を測定した結果から割り出しており、又は位置検知手段（不図示）により周期を測定した結果から割り出している。
【手続補正８】
【補正対象書類名】明細書
【補正対象項目名】００８０
【補正方法】削除
【補正の内容】
【手続補正９】
【補正対象書類名】明細書
【補正対象項目名】００８１
【補正方法】削除
【補正の内容】
【手続補正１０】
【補正対象書類名】明細書
【補正対象項目名】００８２
【補正方法】削除
【補正の内容】
【手続補正１１】
【補正対象書類名】明細書
【補正対象項目名】００８３
【補正方法】削除
【補正の内容】
【手続補正１２】
【補正対象書類名】明細書
【補正対象項目名】００８４
【補正方法】削除
【補正の内容】
【手続補正１３】
【補正対象書類名】明細書
【補正対象項目名】００８５
【補正方法】削除
【補正の内容】
【手続補正１４】
【補正対象書類名】明細書
【補正対象項目名】００８６
【補正方法】削除
【補正の内容】
【手続補正１５】
【補正対象書類名】明細書
【補正対象項目名】００８７
【補正方法】削除
【補正の内容】
【手続補正１６】
【補正対象書類名】明細書
【補正対象項目名】００８８
【補正方法】削除
【補正の内容】
【手続補正１７】
【補正対象書類名】明細書
【補正対象項目名】００８９
【補正方法】削除
【補正の内容】
【手続補正１８】
【補正対象書類名】明細書
【補正対象項目名】００９０
【補正方法】削除
【補正の内容】
【手続補正１９】
【補正対象書類名】明細書
【補正対象項目名】００９１
【補正方法】削除
【補正の内容】